(57)【要約】【課題】長さの異なるワイヤハーネスを保護する際、材料費、加工費を安価で製造時間を短縮することができるワイヤハーネス保護材を提供すること。【解決手段】複数の矩形面部１１ａを有し、複数の矩形面部１１ａが水平方向につづら折れに開いた状態となるように一体に連結され、各矩形面部１１ａに、ワイヤハーネスＷＨを挿通させかつ支持する貫通孔１２を有する屏風部材１１と、つづら折れに開いた状態の屏風部材１１に対し、少なくとも上端に載置され固定された上側カバー部材１６と、を有し、上側カバー部材１６の下面から肉厚方向に中途までに、屏風部材１１の上端部を嵌入させる上側凹条部１６ａを有する。【選択図】図１
2017093124.tif 000002
【特許請求の範囲】
【請求項１】
複数の矩形面部を有し、前記複数の矩形面部が水平方向につづら折れに開いた状態となるように一体に連結され、前記各矩形面部に、ワイヤハーネスを挿通させかつ支持する貫通孔を有する屏風部材と、
前記つづら折れに開いた状態の屏風部材に対し、少なくとも上端に載置され固定された上側カバー部材と、を有し、
前記上側カバー部材の下面から肉厚方向に中途までに、前記屏風部材の上端部を嵌入させる上側凹条部を有する、ことを特徴とするワイヤハーネス保護材。
【請求項２】
複数の矩形面部を有し、前記複数の矩形面部が水平方向につづら折れに開いた状態となるように一体に連結され、前記各矩形面部に、ワイヤハーネスを跨いだ状態に前記ワイヤハーネスを挿通させる下端に開かれた湾状凹部を有する屏風部材と、
前記つづら折れに開いた状態の屏風部材に対し、少なくとも上端に載置され固定された上側カバー部材と、を有し、
前記上側カバー部材の下面から肉厚方向に中途までに、前記屏風部材の上端部を嵌入させる前記上側凹条部を有する、ことを特徴とするワイヤハーネス保護材。
【請求項３】
前記屏風部材は、２枚の帯状体と、２枚の帯状体に挟まれて一体に積層された波状体と、を有し、前記２枚の帯状体と前記波状体とに、前記貫通孔または前記湾状凹部が所要間隔で設けられ、前記複数の矩形面部を有するように前記つづら折れに形成されたことを特徴とする請求項１または２に記載のワイヤハーネス保護材。
【請求項４】
前記つづら折れに開いた状態の屏風部材が載るように敷設され固定された下側カバー部材を更に有し、
前記下側カバー部材の上面から肉厚方向に中途までに、前記屏風部材の下端部を嵌入させる前記下側凹条部を有する、ことを特徴とする請求項１ないし３のいずれか１項に記載のワイヤハーネス保護材。
【発明の詳細な説明】
【技術分野】
【０００１】
本発明は、ワイヤハーネス保護材に関する。
【背景技術】
【０００２】
自動車用ワイヤハーネスは、自動車の車室内で配線されるため、自動車の製造中の作業者や完成した自動車の車室内の運転者、同乗者など人に踏まれる場合があり、ワイヤハーネスの切断などワイヤハーネスの損傷がしばしば発生していた。この結果、ワイヤハーネスは保護する必要がある。
【０００３】
従来、この種の自動車においては、人に踏まれても損傷しないようにするために、図７に示すような合成樹脂製のワイヤハーネス保護材を使用するものが知られている（例えば、特許文献１参照）。ワイヤハーネス保護材３１は、開口した両端を有し、上下の面が平坦な筒状体３２から構成されている。このため、ワイヤハーネス保護材３１がワイヤハーネスＷＨを通線した状態で人に踏まれてもこのワイヤハーネス保護材３１によりワイヤハーネスＷＨが保護されている。
【先行技術文献】
【特許文献】
【０００４】
【特許文献１】特開２０１５−１６２９１６号公報
【発明の概要】
【発明が解決しようとする課題】
【０００５】
しかしながら、前述のような従来のワイヤハーネス保護材にあっては、通線するワイヤハーネスの増加などによりワイヤハーネス保護材の形状を変更する場合、ワイヤハーネス保護材を成形する金型を変更する必要があり、このためワイヤハーネス保護材を製造するための費用、時間がかかってしまうという問題点があった。
【０００６】
本発明は、このような従来の課題を解決すべくなされたものであり、長さの異なるワイヤハーネスを保護する際、材料費、加工費を安価で製造時間を短縮することができるワイヤハーネス保護材を提供することを目的とする。
【課題を解決するための手段】
【０００７】
本発明に係るワイヤハーネス保護材は、上記目的達成のため、複数の矩形面部を有し、前記複数の矩形面部が水平方向につづら折れに開いた状態となるように一体に連結され、前記各矩形面部に、ワイヤハーネスを挿通させかつ支持する貫通孔を有する屏風部材と、前記つづら折れに開いた状態の屏風部材に対し、少なくとも上端に載置され固定された上側カバー部材と、を有し、前記上側カバー部材の下面から肉厚方向に中途までに、前記屏風部材の上端部を嵌入させる上側凹条部を有する、ことを特徴とする。
【０００８】
この構成により、本発明に係るワイヤハーネス保護材では、屏風部材と上側カバー部材とを組付け、屏風部材に設けた貫通孔にワイヤハーネスを挿通するようにしてワイヤハーネスを保護することができる。本発明に係るワイヤハーネス保護材は、長さの異なるワイヤハーネスを保護する際、材料費、加工費を安価で製造時間を短縮することができる。すなわち、保護材の全体の長さを変更したい場合に、屏風部材が伸縮自在でありその長さを変更できるため、異なる長さと異なる上側凹条部を有する上側カバー部材を変えるだけで好ましい折り畳み状態にある保護材の全体の長さを変更することができる。このため、従来のワイヤハーネス保護材のように求められる長さ毎のワイヤハーネス保護材を準備する必要がない。このため、材料費、加工費を安価で製造時間を短縮することができる。
【０００９】
また、本発明に係るワイヤハーネス保護材は、上記目的達成のため、複数の矩形面部を有し、前記複数の矩形面部が水平方向につづら折れに開いた状態となるように一体に連結され、前記各矩形面部に、ワイヤハーネスを跨いだ状態に前記ワイヤハーネスを挿通させる下端に開かれた湾状凹部を有する屏風部材と、前記つづら折れに開いた状態の屏風部材に対し、少なくとも上端に載置され固定された上側カバー部材と、を有し、前記上側カバー部材の下面から肉厚方向に中途までに、前記屏風部材の上端部を嵌入させる上側凹条部を有する、ことを特徴とする。
【００１０】
この構成により、本発明に係るワイヤハーネス保護材では、屏風部材と上側カバー部材とを組付け、屏風部材に設けた湾状凹部でワイヤハーネスを跨ぐようにしてワイヤハーネスを保護することができる。本発明に係るワイヤハーネス保護材では、長さの異なるワイヤハーネスを保護する際、材料費、加工費を安価で製造時間を短縮することができる。すなわち、保護材の全体の長さを変更したい場合に、屏風部材が伸縮自在でありその長さを変更できるため、異なる長さと異なる上側凹条部を有する上側カバー部材を変えるだけで好ましい折り畳み状態にある保護材の全体の長さを変更することができる。このため、従来のワイヤハーネス保護材のように求められる長さ毎のワイヤハーネス保護材を準備する必要がない。このため、材料費、加工費を安価で製造時間を短縮することができる。
【００１１】
本発明に係るワイヤハーネス保護材においては、前記屏風部材は、２枚の帯状体と、２枚の帯状体に挟まれて一体に積層された波状体と、を有し、前記２枚の帯状体と前記波状体とに、前記貫通孔または前記湾状凹部が所要間隔で設けられ、前記複数の矩形面部を有するように前記つづら折れに形成された構成とするのがよい。
【００１２】
この構成により、本発明に係るワイヤハーネス保護材は、長さの異なるワイヤハーネスを保護する際、材料費、加工費を安価で製造時間を短縮することができる。すなわち、保護材の全体の長さを変更したい場合に、屏風部材が伸縮自在でありその長さを変更できるため、異なる長さと異なる上側凹条部を有する上側カバー部材を変えるだけで好ましい折り畳み状態にある保護材の全体の長さを変更することができる。このため、従来のワイヤハーネス保護材のように求められる長さ毎のワイヤハーネス保護材を準備する必要がない。このため、材料費、加工費を安価で製造時間を短縮することができる。
【００１３】
本発明に係るワイヤハーネス保護材においては、前記つづら折れに開いた状態の屏風部材が載るように敷設され固定された下側カバー部材を更に有し、前記下側カバー部材の上面から肉厚方向に中途までに、前記屏風部材の下端部を嵌入させる下側凹条部を有する構成とするのがよい。
【００１４】
この構成により、本発明に係るワイヤハーネス保護材では、下側カバー部材と屏風部材と上側カバー部材とを組付け、屏風部材に設けた貫通孔または湾状凹部にワイヤハーネスを挿通するようにしてワイヤハーネスを保護することができる。このワイヤハーネス保護材は、下側カバー部材が下側凹条部を有するので、下側カバー部材の上に、つづら折れに開いた状態の屏風部材が載るように敷設するだけで、下側カバー部材と屏風部材とが強固で安定することができる。
【発明の効果】
【００１５】
本発明によれば、長さの異なるワイヤハーネスを保護する際、材料費、加工費を安価で製造時間を短縮することができるワイヤハーネス保護材を提供することができる。
【図面の簡単な説明】
【００１６】
【図１】本発明の第１の実施の形態に係るワイヤハーネス保護材の斜視図であり、（ａ）は屏風部材および上側カバー部材を示し、（ｂ）は上側カバー部材単体を示している。
【図２】図１（ａ）における屏風部材の部分図である。
【図３】つづら折れに開いた開状態の屏風部材の長さ方向の長さがＬ１である場合の屏風部材の斜視図である。
【図４】つづら折れに開いた開状態の屏風部材の長さ方向の長さがＬ２である場合の屏風部材の斜視図である。
【図５】本発明の第２の実施の形態に係るワイヤハーネス保護材の斜視図であり、（ａ）は屏風部材、上側カバー部材および下側カバー部材を示し、（ｂ）は下側カバー部材単体を示している。
【図６】本発明の第３の実施の形態に係るワイヤハーネス保護材の斜視図であり、帯状体の貫通孔が前記帯状体の下方に開口している構成を示す。
【図７】従来のワイヤハーネス保護材の斜視図である。
【発明を実施するための形態】
【００１７】
以下、本発明を実施するための形態について図面を参照して説明する。
【００１８】
（第１の実施の形態）
図１（ａ）、図１（ｂ）および図２において、ワイヤハーネス保護材１０は、屏風部材１１と上側カバー部材１６とを有する。屏風部材１１および上側カバー部材１６は、例えばポリプロピレン、あるいはポリカーボネート製の同一材料のプラスチック製段ボールシートよりなる。
【００１９】
屏風部材１１は、水平方向につづら折れに開いた状態となる複数の矩形面部１１ａを有し、各矩形面部１１ａに、ワイヤハーネスＷＨを挿通させかつ支持する貫通孔１２を有する。
【００２０】
屏風部材１１は、２枚の帯状体１３ａ、１３ｂと、帯状体１３ａ、１３ｂの間に介在し２枚の帯状体１３ａ、１３ｂを補強する波状体１４と、帯状体１３ａ、１３ｂと波状体１４を幅方向に連結して帯状体１３ａ、１３ｂと波状体１４を屈曲させることができる屈曲部１５と、前述した貫通孔１２は、帯状体１３ａ、１３ｂおよび波状体１４を貫通してワイヤハーネスＷＨを挿通させるよう形成されている。
【００２１】
波状体１４が、山と谷からなる波型の形状を有しているため、２枚の帯状体１３ａ、１３ｂの上下の荷重に対して強度が増すよう帯状体１３ａ、１３ｂを補強している。
【００２２】
上側カバー部材１６は、つづら折れに開いた状態の屏風部材１１に対し、上端に載置され固定されている。上側カバー部材１６の下面から肉厚方向に中途までに、屏風部材１１の上端部を嵌入させる上側凹条部１６ａを有する。
【００２３】
上側カバー部材１６が屏風部材１１の上面に設置されたとき、上側凹条部１６ａが帯状体１３ａ、１３ｂと波状体１４の上部に嵌合して屏風部材１１をつづら折れに開いた開状態に保持することにより、屏風部材１１の強度を増強している。上側凹条部１６ａは、上側カバー部材１６に下向きに開口するように形成された、稲妻状の平面形状を有する溝である。
【００２４】
すなわち、第１の実施の形態においては、上側カバー部材１６の下部に上側凹条部１６ａが形成されており、上側カバー部材１６が屏風部材１１の上面に設置されたとき、帯状体１３ａ、１３ｂと波状体１４の上部に係合して屏風部材１１をつづら折れに開いた開状態に保持するようになっている。上側凹条部１６ａは、帯状体１３ａ、１３ｂと補強体１４の上部に係合するために屏風部材１１の開状態のつづら折れ形状と同様な形状に形成されている。
【００２５】
第１の実施の形態においては、上側カバー部材１６の下部に形成された上側凹条部１６ａが形成されているので、上側カバー部材１６が屏風部材１１の上面に設置されたとき、帯状体１３ａ、１３ｂと波状体１４の上部に係合して屏風部材１１をつづら折れに開いた開状態に強固で安定して保持することができる。
【００２６】
第１の実施の形態の作用について説明する。
図１（ａ）、図１（ｂ）および図２において、ワイヤハーネスＷＨを挿通させるよう形成された貫通孔１２を有し、つづら折れに開いた開状態と折り畳んだ閉状態との間で折り畳み可能な屏風部材１１を準備する。
【００２７】
まず、屏風部材１１を折り畳んだ閉状態にする。この閉状態で、貫通孔１２にワイヤハーネスＷＨを挿通させる。屏風部材１１が折り畳んだ閉状態であるので、貫通孔１２にワイヤハーネスＷＨを容易に挿通させることができる。
【００２８】
次に、図３に示すように、つづら折れに開いた開状態の屏風部材１１の長さ方向の長さをＬ１にしたい場合、つづら折れに開いた開状態の屏風部材１１の長さ方向の長さを調節して長さＬ１にした後、この屏風部材１１の開状態のつづら折れ形状と同様な形状の上側凹条部１６ａを有する上側カバー部材１６を屏風部材１１の上面に設置して帯状体１３ａ、１３ｂと波状体１４の上部に係合させる。
【００２９】
次で、図４に示すように、つづら折れに開いた開状態の屏風部材１１の長さ方向の長さを変更したい場合には、例えば、つづら折れに開いた開状態の屏風部材１１の長さ方向の長さＬ１からＬ２に変更したい場合、この屏風部材１１の開状態を調節してその長さＬ１からＬ２に変更した後、このつづら折れ形状と同様な形状の上側凹条部１６ａを有する上側カバー部材１６を屏風部材１１の上面に設置して帯状体１３ａ、１３ｂと波状体１４の上部に係合させる。
【００３０】
このように、第１の実施の形態においては、つづら折れに開いた開状態の屏風部材１１の長さ方向の長さＬ１からＬ２に変更する場合、異なる上側凹条部１６ａを有する上側カバー部材１６を変更するだけで屏風部材１１を変更する必要がない。このため、従来のワイヤハーネス保護材のように求められる長さ毎のワイヤハーネス保護材を準備する必要がない。したがって、長さの異なるワイヤハーネスを保護する際、材料費、加工費を安価で製造時間を短縮することができる。
【００３１】
第１の実施の形態においては、上側カバー部材１６の下部に形成された上側凹条部１６ａによって屏風部材１１をつづら折れに開いた開状態に保持するようにしているが、本発明においては、上側凹条部１６ａが第１の実施の形態のように上側凹条部１６ａによって構成されるものに限らず、屏風部材１１をつづら折れに開いた開状態に保持するものであれば如何なる構造のものでもよい。
【００３２】
（第２の実施の形態）
図５（ａ）、図５（ｂ）において、ワイヤハーネス保護材１０Ａは、屏風部材１１と上側カバー部材１６と下側カバー部材２１とを有する。屏風部材１１、上側カバー部材１６および下側カバー部材２１は、例えばポリプロピレン、あるいはポリカーボネート製の同一材料のプラスチック製段ボールシートよりなる。
【００３３】
屏風部材１１と上側カバー部材１６は、第１の実施の形態に係る屏風部材１１と上側カバー部材１６と同一の構成であり、説明を省略する。
【００３４】
下側カバー部材２１は、つづら折れに開いた状態の屏風部材１１が載るように敷設され屏風部材１１と固定されている。下側カバー部材２１の上面から肉厚方向の中途までに、屏風部材１１の下端部を嵌入させる下側凹条部２１ａを有する。
【００３５】
このため、下側カバー部材２１が屏風部材１１の下面に設置されたとき、下側凹条部２１ａが帯状体１３ａ、１３ｂと波状体１４の下部に係合して屏風部材１１をつづら折れに開いた開状態に保持する。このように、上側カバー部材１６および下側カバー部材２１が屏風部材１１の上面および下面にそれぞれ設置されたとき、帯状体１３ａ、１３ｂと波状体１４の上側凹条部１６ａおよび下側凹条部２１ａに嵌合して屏風部材１１をつづら折れに開いた開状態に強固に安定して保持することができる。
【００３６】
（第３の実施の形態）
図６において、ワイヤハーネス保護材１０Ｂは、屏風部材１１Ｂと、上側カバー部材１６とを有している。屏風部材１１および上側カバー部材１６は、例えばポリプロピレン、あるいはポリカーボネート製の同一材料のプラスチック製段ボールシートよりなる。
【００３７】
屏風部材１１Ｂは、複数の矩形面部１１ａを有し、複数の矩形面部１１ａが水平方向につづら折れに開いた開状態となるように一体に連結され、各矩形面部１１ａに、ワイヤハーネスＷＨを跨いだ状態にワイヤハーネスＷＨを挿通させる下端に開かれた湾状凹部１７を有する。
【００３８】
屏風部材１１Ｂは、２枚の帯状体１３ａ、１３ｂと、２枚の帯状体１３ａ、１３ｂに挟まれて一体に積層された波状体１４と、を有して構成されている点は、第1の実施の形態と同一である。屏風部材１１Ｂは、２枚の帯状体１３ａ、１３ｂと波状体１４とに、湾状凹部１７が所要間隔で設けられている。
【００３９】
第３の実施の形態においては、図６に示すように、湾状凹部１７を有しているので、ワイヤハーネスＷＨをワイヤハーネス保護材１０Ｂに組み付ける作業、すなわち、通線作業を簡単にすることができる。なお、第２の実施の形態と同様に、下側カバー部材２１を設けることもできる。
【００４０】
本発明に係るワイヤハーネス保護材は、上述した第１〜第３の実施の形態における説明から分かるように、市販品のプラスチック製段ボールシートを用い、金型は用いることなく、屏風部材と上側カバー部材と下側カバー部材とを形成することができるので、従来において新しく金型を製作その金型を用いてワイヤハーネス保護材を製作していたことに比べ、材料費、加工費が安価で製造時間を短縮することができる。また、本発明に係るワイヤハーネス保護材は、異なる保護長さのワイヤハーネスに対して、屏風部材のつづら折れの開状態の長さを調整することができ、屏風部材を何種類も用意する必要がなく、上側カバー部材および下側カバー部材については、複数用意しておくことができ、また所要幅で長尺材のプラスチック製段ボールシートを用意し、屏風部材のつづら折れの開状態の長さ合わせて所定長さに切断し、上側カバー部材および下側カバー部材とで天地逆形状となる上側凹条部または下側凹条部を設けることが容易かつ短時間に行える点からも、材料費、加工費が安価で製造時間を短縮することができる。さらに、本発明に係るワイヤハーネス保護材は、上側カバー部材に対して屏風部材が平面視において筋交いのように存在するので、縦方向からの荷重に対して大きな強度を有する。
【００４１】
以上説明したように、本発明は、長さの異なるワイヤハーネスを保護する際、材料費、加工費を安価で製造時間を短縮することができる効果を有し、長さの異なるワイヤハーネスを保護する際の使用されるワイヤハーネス保護材全般に有用である。
【符号の説明】
【００４２】
１０、１０Ａ、１０Ｂ  ワイヤハーネス保護材
１１、１１Ｂ  屏風部材
１１ａ  矩形面部
１２  貫通孔
１３ａ、１３ｂ  帯状体
１４  波状体
１５  屈曲部
１６  上側カバー部材
１６ａ  上側凹条部
１７  湾状凹部
２１  下側カバー部材
２１ａ  下側凹条部
ＷＨ  ワイヤハーネス
【図１】
2017093124.tif 000003
【図２】
2017093124.tif 000004
【図３】
2017093124.tif 000005
【図４】
2017093124.tif 000006
【図５】
2017093124.tif 000007
【図６】
2017093124.tif 000008
【図７】
2017093124.tif 000009